(57)【特許請求の範囲】
【請求項１】
ユーザ端末と、位置情報を有する画像データを管理する画像管理サーバとがネットワークを介して接続される画像管理システムであって、
前記ユーザ端末は、
前記画像管理サーバに保存された前記画像データの閲覧を要求する閲覧要求手段を有し、
前記画像管理サーバは、
前記画像データの閲覧を要求するユーザに関する閲覧設定を記憶するユーザ情報記憶手段と、
位置情報が推測可能なランドマークの位置情報を有するランドマーク情報記憶手段と、
前記画像データの有する位置情報を付与した状態で表示するか、付与しない状態で表示するかを制御して当該画像データを前記ユーザ端末へ表示可能な表示制御手段と、を有し、
前記表示制御手段は、前記閲覧を要求するユーザの閲覧設定に基づいて、前記画像データへの前記位置情報を付与した状態で表示するか、付与しない状態で表示するかを制御し、前記表示する画像の位置情報が前記ランドマークの近傍であった場合、位置情報を付与しないとされた画像であっても当該位置情報を付与した状態で表示制御すること特徴とすることを特徴とする画像管理システム。
【請求項２】
前記画像管理サーバは、
前記画像データの有する位置情報に応じて前記画像データに位置情報を付与しないエリアの情報が記憶されたエリア情報記憶手段を更に有し、
前記表示制御手段は、前記閲覧を要求するユーザの閲覧設定および前記位置情報を付与しないエリアの情報に基づいて、前記画像データへの前記位置情報を付与した状態で表示するか、付与しない状態で表示するかを制御することを特徴とする請求項１記載の画像管理システム。
【請求項３】
前記ユーザの閲覧設定は、前記ユーザのグループごとに設定可能なことを特徴とする請求項１または２に記載の画像管理システム。
【請求項４】
ユーザ端末と、位置情報を有する画像データを管理する画像管理サーバとがネットワークを介して接続される画像管理システムであって、
前記ユーザ端末は、
前記画像管理サーバに保存された前記画像データの閲覧を要求する閲覧要求手段を有し、
前記画像管理サーバは、
前記画像データの有する位置情報に応じて前記画像データに位置情報を付与しないエリアの情報が記憶されたエリア情報記憶手段と、
位置情報が推定可能なランドマークの位置情報を有するランドマーク情報記憶手段と、
前記ユーザから要求を受付けた前記画像データの有する位置情報が、前記エリア情報記憶手段に記憶されたエリアであった場合、当該画像データを、位置情報を付与しない状態で前記ユーザ端末へ表示可能な表示制御手段と、を有し、
前記表示制御手段は、前記表示する画像の位置情報が前記ランドマークの近傍であった場合、前記画像データの有する位置情報が、前記位置情報を付与しないエリアに含まれていたとしても当該位置情報を付与した状態で表示制御することを特徴とする画像管理システム。
【請求項５】
前記表示制御手段は、前記位置情報を表示する画像と表示しない画像とを識別可能に配置して表示することを特徴とする請求項１乃至４のいずれかに記載の画像管理システム。
【請求項６】
ユーザ端末とネットワークを介して接続可能で、位置情報を有する画像データを管理する画像管理サーバであって、
前記画像データの閲覧を要求するユーザに関する閲覧設定を記憶するユーザ情報記憶手段と、
位置情報が推測可能なランドマークの位置情報を有するランドマーク情報記憶手段と、
前記画像データの有する位置情報を付与した状態で表示するか、付与しない状態で表示するかを制御して当該画像データを前記ユーザ端末へ表示可能な表示制御手段と、を有し、
前記表示制御手段は、前記閲覧を要求するユーザの閲覧設定に基づいて、前記画像データへの前記位置情報を付与した状態で表示するか、付与しない状態で表示するかを制御し、前記表示する画像の位置情報が前記ランドマークの近傍であった場合、位置情報を付与しないとされた画像であっても当該位置情報を付与した状態で表示制御することを特徴とする画像管理サーバ。
【請求項７】
ユーザ端末とネットワークを介して接続可能で、位置情報を有する画像データを管理する画像管理サーバであって、
前記画像データの有する位置情報に応じて前記画像データに位置情報を付与しないエリアの情報が記憶されたエリア情報記憶手段と、
位置情報が推定可能なランドマークの位置情報を有するランドマーク情報記憶手段と、
前記ユーザから要求を受付けた前記画像データの有する位置情報が、前記エリア情報記憶手段に記憶されたエリアであった場合、当該画像データを、位置情報を付与しない状態で前記ユーザ端末へ表示可能な表示制御手段と、を有し、
前記表示制御手段は、前記表示する画像の位置情報が前記ランドマークの近傍であった場合、前記画像データの有する位置情報が、前記位置情報を付与しないエリアに含まれていたとしても当該位置情報を付与した状態で表示制御することを特徴とする画像管理サーバ。
【請求項８】
ユーザ端末とネットワークを介して接続可能で、位置情報を有する画像データを管理し、該画像データの閲覧を要求するユーザに関する閲覧設定を記憶するユーザ情報記憶手段と、位置情報が推測可能なランドマークの位置情報を有するランドマーク情報記憶手段と、を有する画像管理サーバの制御方法であって、
前記画像データの有する位置情報を付与した状態で表示するか、付与しない状態で表示するかを制御して当該画像データを前記ユーザ端末へ表示可能な表示制御ステップを有し、
前記表示制御ステップは、前記閲覧を要求するユーザの閲覧設定に基づいて、前記画像データへの前記位置情報を付与した状態で表示するか、付与しない状態で表示するかを制御し、前記表示する画像の位置情報が前記ランドマークの近傍であった場合、位置情報を付与しないとされた画像であっても当該位置情報を付与した状態で表示制御することを特徴とする画像管理サーバの制御方法。
【請求項９】
ユーザ端末とネットワークを介して接続可能で、位置情報を有する画像データを管理し、該画像データの有する位置情報に応じて前記画像データに位置情報を付与しないエリアの情報が記憶されたエリア情報記憶手段と、位置情報が推定可能なランドマークの位置情報を有するランドマーク情報記憶手段と、を有する画像管理サーバの制御方法であって、
前記ユーザから要求を受付けた前記画像データの有する位置情報が、前記エリア情報記憶手段に記憶されたエリアであった場合、当該画像データを、位置情報を付与しない状態で前記ユーザ端末へ表示可能な表示制御ステップを有し、
前記表示制御ステップは、前記表示する画像の位置情報が前記ランドマークの近傍であった場合、前記画像データの有する位置情報が、前記位置情報を付与しないエリアに含まれていたとしても当該位置情報を付与した状態で表示制御することを特徴とする画像管理サーバの制御方法。
【請求項１０】
ユーザ端末とネットワークを介して接続可能で、位置情報を有する画像データを管理し、該画像データの閲覧を要求するユーザに関する閲覧設定を記憶するユーザ情報記憶手段と、位置情報が推測可能なランドマークの位置情報を有するランドマーク情報記憶手段と、を有する画像管理サーバを、
前記画像データの有する位置情報を付与した状態で表示するか、付与しない状態で表示するかを制御して当該画像データを前記ユーザ端末へ表示可能な表示制御手段を有し、
前記表示制御手段は、前記閲覧を要求するユーザの閲覧設定に基づいて、前記画像データへの前記位置情報を付与した状態で表示するか、付与しない状態で表示するかを制御し、前記表示する画像の位置情報が前記ランドマークの近傍であった場合、位置情報を付与しないとされた画像であっても当該位置情報を付与した状態で表示制御することを特徴とする画像管理サーバとして機能させるためのプログラム。
【請求項１１】
ユーザ端末とネットワークを介して接続可能で、位置情報を有する画像データを管理し、該画像データの有する位置情報に応じて前記画像データに位置情報を付与しないエリアの情報が記憶されたエリア情報記憶手段と、位置情報が推定可能なランドマークの位置情報を有するランドマーク情報記憶手段と、を有する画像管理サーバを、
前記ユーザから要求を受付けた前記画像データの有する位置情報が、前記エリア情報記憶手段に記憶されたエリアであった場合、当該画像データを、位置情報を付与しない状態で前記ユーザ端末へ表示可能な表示制御手段を有し、
前記表示制御手段は、前記表示する画像の位置情報が前記ランドマークの近傍であった場合、前記画像データの有する位置情報が、前記位置情報を付与しないエリアに含まれていたとしても当該位置情報を付与した状態で表示制御することを特徴とする画像管理サーバとして機能させるためのプログラム。
【発明の詳細な説明】
【技術分野】
【０００１】
本発明は、共有して閲覧される画像データと該画像データに含まれる位置情報を管理する画像管理システムに関する。
【背景技術】
【０００２】
近年、ＧＰＳ（Ｇｌｏｂａｌ  Ｐｏｓｉｔｉｏｎｉｎｇ  Ｓｙｓｔｅｍ）機能を搭載した携帯電話が普及し、誰でも気軽にオンラインアルバムなどへ画像のアップロードを行い画像の共有を行っている。
【０００３】
インターネット上のオンラインアルバムなどは不特定多数の者が閲覧する。このため、地図サイト上などで画像データとともに撮影場所を示す位置情報が付加されていると、撮影者の自宅や勤務先などが第三者に知られてしまう事や、行動範囲が間接的に明らかになってしまう事など、プライバシー上の不都合が生じることがある。
【０００４】
この問題に対応して特許文献１には、制限条件を設けることで、制限条件に合致する場合は、撮像画像の撮影場所を示す位置情報を削除する技術が提案されている。
【先行技術文献】
【特許文献】
【０００５】
【特許文献１】特開２０１０−８１４２７号公報
【発明の概要】
【発明が解決しようとする課題】
【０００６】
しかし、特許文献１に記載されている技術では、制限条件に合致する場合は一律に画像から位置情報を削除してしまうので、親しい友人には見せたいような場合や、観光地など位置情報を知られても問題がないような場合など、位置情報を付加した状態で画像を公開したいケースに対応できない。
【０００７】
そこで本発明では上記問題に鑑み、一定のプライバシーは守りつつ、必要に応じて柔軟に画像データの位置情報を制御することのできる画像管理システムを提供することを目的とする。
【課題を解決するための手段】
【０００８】
画像データの閲覧を要求するユーザに関する閲覧設定を記憶するユーザ情報記憶手段と、位置情報が推測可能なランドマークの位置情報を有するランドマーク情報記憶手段と、前記画像データの有する位置情報を付与した状態で表示するか、付与しない状態で表示するかを制御して当該画像データを前記ユーザ端末へ表示可能な表示制御手段と、を有し、前記表示制御手段は、前記閲覧を要求するユーザの閲覧設定に基づいて、前記画像データへの前記位置情報を付与した状態で表示するか、付与しない状態で表示するかを制御し、前記表示する画像の位置情報が前記ランドマークの近傍であった場合、位置情報を付与しないとされた画像であっても当該位置情報を付与した状態で表示制御することを特徴とする。
【発明の効果】
【０００９】
本発明によれば、一定のプライバシーは守りつつ、必要に応じて柔軟に画像データの位置情報を制御することのできる画像管理システムを提供することができる。
【図面の簡単な説明】
【００１０】
【図１】本発明の実施形態に係る画像管理システムのシステム構成の一例を示す図である。
【図２】本発明の実施形態に係る画像管理システムを適用可能な情報処理装置のハードウェアブロック図の一例を示す図である。
【図３】本発明の実施形態に係る画像管理システムの機能構成の一例を示す図である。
【図４】本発明の実施形態に係る画像管理システムの画像参照時のデータの流れの一例を示す図である。
【図５】本発明の実施形態に係る画像管理システムの位置情報削除エリア登録画面の一例を示す面である。
【図６】本発明の実施形態に係る画像管理システムのユーザ登録画面の一例を示す図である。る。４
【図７】本発明の実施形態に係る画像管理システムの画像閲覧画面の一例を示す図である。
【図８】本発明の実施形態に係る画像管理システムの画像リストテーブルの一例を示す図である。
【図９】本発明の実施形態に係る画像管理システムの位置情報非表示テーブルの一例を示す図である。
【図１０】本発明の実施形態に係る画像管理システムのユーザテーブルの一例を示す図である。
【図１１】本発明の実施形態に係る画像管理システムのランドマークテーブルの一例を示す図である。
【図１２】本発明の実施形態に係る画像管理システムの画像表示処理の一例を示すフローチャートである。
【図１３】本発明の実施形態に係る画像管理システムの例外条件判定処理の一例を示すフローチャートである。
【発明を実施するための形態】
【００１１】
以下、本発明の好ましい実施の形態について図面を参照しながら詳細に説明する。
【００１２】
図１は、本発明の実施形態に係る画像管理システムのシステム構成の一例を示す図である。
【００１３】
ユーザ端末１０１と画像管理サーバ１０２とがネットワーク１０３を介して接続されており、ユーザ端末１０１からＧＰＳ情報付き画像を、ネットワーク１０３を介して画像管理サーバ１０２に対して送信するようになっている。画像データを受信した画像管理サーバ１０３はサーバの記憶領域に受信した画像データを保存する。
【００１４】
ユーザ端末１０１とは、ユーザが画像の送信や画像の表示をできるものであればよく、ＰＣ、スマートフォン、携帯電話、デジタルカメラ（送信機能付き）などを適用可能である。カメラ付きであれば、ユーザ端末で撮影し送信することが可能となる。
【００１５】
ネットワーク１０３は、本実施形態ではインターネットや公衆網回線を利用するものとする。有線、無線は問わない。
【００１６】
図２は、本発明の実施形態に係る画像管理システムを適用可能な情報処理装置のハードウェアブロック図の一例を示す図である。
ユーザ端末１０１、画像管理サーバ１０２に適応可能である。
【００１７】
２０１はＣＰＵで、ＲＯＭ２０２のプログラム用ＲＯＭに記憶されたプログラムに基づいてシステムバスに接続された各デバイスを制御し、情報処理装置１００全体を統括制御する。
【００１８】
また、このＲＯＭ２０２のフォント用ＲＯＭにはフォントデータ等を記憶し、ＲＯＭ２０２のデータ用ＲＯＭには各種データを記憶する。２０３はＲＡＭで、ＣＰＵ２０１の主メモリ，ワークエリア等として機能する。
【００１９】
２０５はキーボードコントローラ（ＫＢＣ）で、キーボード（ＫＢ）２０９や図示しないポインティングデバイス、例えばマウスからの入力を制御する。２０７はビデオコントローラで、ＣＲＴ２１０の表示を制御する。なお、ディスプレイはＣＲＴであってもＬＣＤ等のその他の形式の表示装置であってもよい。
【００２０】
２０７はメモリコントローラ（ＭＣ）で、ハードディスク（ＨＤ）２１１，図示しないフレキシブルディスク（ＦＤ），ＣＤ−ＲＯＭ等とのアクセスを制御する。２０８は通信Ｉ／Ｆコントローラで、ネットワークを介してサーバ等の外部機器との通信を制御する。
【００２１】
図３は、本発明の実施形態に係る画像管理システムの機能構成の一例を示す図である。
【００２２】
画像管理システムは、ユーザ端末１０１と画像管理サーバ１０２１とから構成されている。
【００２３】
ユーザ端末１０１は、ＧＰＳなとの位置情報付きの画像データをサーバに対して送信する画像送信部３１１と、画像管理サーバによって表示制御される画像データを表示する画像表示部３１２を有する。
【００２４】
画像管理サーバ１０２は、画像データおよび画像データの位置情報などを管理する画像ＤＢ３３１と、位置情報を非表示にする情報を管理する位置情報非表示テーブル３３２、画像管理システムを利用するユーザやグループ情報を管理するユーザテーブル３３３、およびランドマーク情報を管理するランドマークテーブルを記憶する。
【００２５】
位置情報非表示テーブル３３２に記憶されたエリアに画像データの位置情報が含まれる場合に位置情報が公開されないように制御される。
【００２６】
ユーザテーブル３３３には、位置情報を非表示の領域に画像データが存在する場合でも、位置情報を公開するユーザが設定されている。
【００２７】
ランドマークテーブル３３４には、位置情報を非表示の領域に画像データが存在する場合でも、位置情報を公開するランドマークが設定されている。
【００２８】
また、画像表示制御部３２１、エリア判定部３２２、判定部３２３およびランドマーク判定部の各機能を有している。
【００２９】
画像表示制御部３２１は、ユーザ端末に対して、画像データを閲覧させるために表示制御を行う。エリア判定部３２２では、対象となる画像データの有する位置情報が、位置情報非表示テーブル３３２で指定されたエリアなのかどうかの判定を行う。
【００３０】
ユーザ判定部３２３は、位置情報を非公開とするよう設定された画像データに対して、位置情報を表示するユーザかどうかの判定を行う。
【００３１】
ランドマーク判定部３２４は、位置情報を非公開とするよう設定された画像データの位置情報の付近に、ランドマークが存在するか否かの判定を行う。
【００３２】
図４は、本発明の実施形態に係る画像管理システムの画像参照時のデータの流れの一例を示す図である。
【００３３】
ユーザ端末４０１で画像データの閲覧要求をする場合、位置情報付きの画像データを閲覧できるか否かにより、閲覧できる画像データが異なる。
【００３４】
ユーザ端末４０１で位置情報付きの画像データを閲覧可能な場合には、画像管理サーバ４０２は、位置情報付き画像４０３を、ネットワークを介してユーザ端末４０２に対して表示制御する。
【００３５】
位置情報付き画像を閲覧できない場合には、画像管理サーバ４０２は、位置情報なし画像４０４を生成して、ネットワークを介してユーザ端末４０１に対して表示制御する。
【００３６】
図５は、本発明の実施形態に係る画像管理システムの位置情報削除エリア登録画面の一例を示す図である。
【００３７】
位置情報削除エリア登録画面５０１は、画像管理サーバに記憶されている画像データに付加された位置情報を削除して表示（表示しない）エリアを登録する画面である。
【００３８】
エリア選択領域５０２で、対象のエリアを選択すると、地図上に対象とするエリア５０３が円で表示される。
【００３９】
情報表示エリア名５０３には、選択されたエリア名５０４、位置情報５０５、削除設定５０６が表示されている。
【００４０】
エリア名５０３はエリア選択５０２で選択されたエリアであり、エリア選択５０２には、位置情報非表示テーブルに記憶された内容が表示される。
【００４１】
位置情報５０５には、位置情報削除エリアの中心点が表示される。削除設定５０６には、表示する画像データから位置情報を削除して表示制御するエリアを中心点からの半径で示している。
【００４２】
登録ボタ５０７が押下されると画像管理サーバに設定内容が記憶される。
【００４３】
図６は、本発明の実施形態に係る画像管理システムのユーザ登録画面の一例を示す図である。
【００４４】
ユーザ登録画面６００は、画像管理システムを利用するユーザに対して、表示される画像データの位置情報を閲覧させるかどうかの設定を行う画面である。
【００４５】
設定６１０は、ユーザごとの設定を行う。一覧６２０は、設定されたユーザを一覧で表示されている。
【００４６】
名前６１１でユーザを選択する。名前６２１で一覧表示されている中から選択されてユーザが表示される。グループ名６１２には、名前６１１に表示されたユーザのグループが表示される。グループを編集することが可能である。グループには「家族」や「友人」などを設定可能であり、グループ毎に位置情報の表示／非表示を設定することが可能である。
【００４７】
位置情報６１３では、グループ名やユーザ個人に対して、表示／非表示の設定を行うことができる。
【００４８】
設定６１０で設定された内容が一覧６２０に反映されて表示されている。
【００４９】
図７は、本発明の実施形態に係る画像管理システムの画像閲覧画面の一例を示す図である。
【００５０】
オンラインアルバム画面９０１は、地図上に画像管理サーバで管理される画像データを位置情報に従って配置して表示制御される画面である。
【００５１】
例えば地図上の配置されている画像は、位置情報が公開された画像データであり、付加された位置情報でもって地図上に配置されている。
【００５２】
地図外の「位置情報なし」欄に表示されている画像データが、位置情報が削除された状態で表示制御されている画像データである。
【００５３】
位置情報が削除された画像データとは、位置情報非表示テーブルで設定されたエリア内の位置情報を有する画像データである。
【００５４】
また、地図内に表示されている画像データであっても、位置情報非表示テーブルで設定されたエリア内の情報を有するデータが存在する可能性がある。
【００５５】
例えば位置情報非表示エリア７０２が地図上にあったとする。その場合画像データ７０３は、位置情報が非表示となり、「位置情報なし」欄に表示されるはずである。ところが、ランドマークとして××水族館７０４が設定されている場合、その付近の画像データは、位置情報が公開されることとなり、地図上に表示されている。
【００５６】
他にも閲覧しているユーザに設定されている位置情報の表示／非表示の設定状態によっても、地図上に表示されることがある。
【００５７】
図８は、本発明の実施形態に係る画像管理システムの画像リストテーブルの一例を示す図である。
【００５８】
画像リスト８００は、ユーザ端末から画像管理サーバに画像データが記憶された際に記録される。記憶された画像データのファイル名と付加された位置情報をリストで管理したテーブルである。
【００５９】
図９は、本発明の実施形態に係る画像管理システムの位置情報非表示テーブルの一例を示す図である。
【００６０】
位置情報非表示テーブル９００は、図６の位置情報削除エリア登録画面により登録された内容が記憶されたテーブルである。
【００６１】
ここで登録された場所を中心に半径の距離を指定することで、そのエリアの位置情報を持つ画像データの位置情報は削除して表示するよう制御されるものである。
【００６２】
図１０は、本発明の実施形態に係る画像管理システムのユーザテーブルの一例を示す図である。
【００６３】
図７のユーザ登録管理画面で登録されたものがユーザテーブル１０００として記憶されている。
【００６４】
ユーザ名１００１は、画像管理システムのユーザ名である。分類１００２は、ユーザをグループで管理するための分類であり、分類やユーザ個人に対して、位置情報１００３の表示／非表示を切り替えることが可能となっている。
【００６５】
例えば、位置情報非表示テーブルで位置情報が非表示とされているエリアの位置情報を持つ画像データであっても、位置情報１００３で、表示の設定がされていれば、位置情報付きの画像データとして表示される。
【００６６】
図１１は、本発明の実施形態に係る画像管理システムのランドマークテーブルの一例を示す図である。
【００６７】
ランドマークテーブル１１００は、ランドマークおよびその位置情報が記憶されている。ユーザが登録することもできるが、有名なものはあらかじめシステムに記憶されている。
【００６８】
ランドマークとは、有名な観光スポットなど、画像データを見ただけで、どの位置にあるものなのかが分かってしまうような場所を指す。このランドマークの近くの位置情報を持つ画像データに関しては、位置情報非表示テーブルで設定されていたとしても、位置情報を公開するものである。
【００６９】
図１０のユーザテーブル、図１１のランドマークテーブルが記憶されている場合、本実施形態では、位置情報を削除しない例外条件が設定されるものと判定する。
【００７０】
位置情報を公開しないことにより、ランドマークの近くが位置情報削除エリアとして登録されていることが分かってしまうため、あえて位置情報を公開することでプライバシーが守れない状況となってしまうのを防ぐことができる。
【００７１】
図１２は、本発明の実施形態に係る画像管理システムの画像表示処理の一例を示すフローチャートである。
【００７２】
ステップＳ１２０１では、ユーザ端末より画像データの閲覧要求を受付ける。例えばオンラインアルバムであれば、該当のページに公開されている画像データが対象となる。
【００７３】
ステップＳ１２０２では、位置情報非表示テーブルを参照し、ステップＳ１２０３では、対象の画像データの有する位置情報が、位置情報非表示テーブルに登録されたエリアかどうかの判定を行う。
【００７４】
対象のエリアでない場合は、ステップＳ１２０７に進み、対象のエリアに該当する場合、ステップＳ１２０４に進み、例外条件判定処理を実行する。
【００７５】
ステップＳ１２０５では、例外条件判定の結果、位置情報を表示するか否かの判定を行い、位置情報を「表示」する設定になっていた場合、ステップＳ１２０７に進み、「非表示」となっていた場合、ステップＳ１２０６に進み、画像から位置情報を削除してステップＳ１２０７に進む。
【００７６】
位置情報を削除する場合、画像データから位置情報を削除するようにしてもよいし、位置情報を持たないデータを複製するようにしてもよい。
【００７７】
ステップＳ１２０７では、全ての画像データの処理が終わったかの判定を行い、処理が完了した場合は、ステップＳ１２０８に進む。
【００７８】
ステップＳ１２０８では、位置情報を持った画像データ、または位置情報が削除された画像データを表示制御して処理を終了する。
【００７９】
本実施形態のオンライアルバムの場合、位置情報を有する画像データの場合、地図上の位置情報が一致する場所に表示する。一方、位置情報を持たない（削除された）画像の場合、「位置情報無し」ということがわかる場所に表示する。
【００８０】
図１３は、本発明の実施形態に係る画像管理システムの例外条件判定処理の一例を示すフローチャートである。
【００８１】
ステップＳ１３０１で、例外条件が設定されているか否かの判定を行う。具体的には、ユーザテーブル１０００やランドマークテーブル１１００が記憶されている場合、例外条件が設定されていると判定する。
【００８２】
ステップＳ１３０２では、設定された例外条件を判定する。条件は、ユーザテーブルおよびランドマークテーブルに登録されている。
【００８３】
ステップＳ１３０３で、対象に、位置情報を「表示」にすべきランドマークの付近の位置情報を有する画像データがあるかどうかを判定する。
【００８４】
存在すると判定された場合、ステップＳ１３０５に進み、存在しないと判定された場合、ステップＳ１３０４に進み、ユーザの設定があるか否かの判定を行う。ここでは、位置情報を表示すると設定されたユーザがログインしているかどうかで判定することができる。
【００８５】
ログインしているユーザが「表示」に設定されている場合、ステップＳ１３０５に進む。ステップＳ１３０５では、位置情報を「表示」するように設定する。
【００８６】
一方、ユーザが「表示」に設定されていなかった場合、ステップＳ１３０６に進み、位置情報を「非表示」に設定して処理を終了する。
【００８７】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【００８８】
また、本発明におけるプログラムは、本発明に示すフローチャートの処理方法をコンピュータが実行可能なプログラムであり、本発明の記憶媒体はコンピュータが実行可能なプログラムが記憶されている。なお、本発明におけるプログラムは各装置の処理方法ごとのプログラムであってもよい。
【００８９】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００９０】
この場合、記録媒体から読み出されたプログラム自体が本発明の新規な機能を実現することになり、そのプログラムを記憶した記録媒体は本発明を構成することになる。
【００９１】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【００９２】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００９３】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００９４】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００９５】
さらに、本発明を達成するためのプログラムをネットワーク上のサーバ、データベース等から通信プログラムによりダウンロードして読み出すことによって、そのシステムあるいは装置が、本発明の効果を享受することが可能となる。
【００９６】
なお、上述した各実施形態およびその変形例を組み合わせた構成も全て本発明に含まれるものである。
【符号の説明】
【００９７】
１０１  ユーザ端末
１０２  画像管理サーバ
１０３  ネットワーク
【図１】
0005522163.tif 000002
【図２】
0005522163.tif 000003
【図３】
0005522163.tif 000004
【図４】
0005522163.tif 000005
【図５】
0005522163.tif 000006
【図６】
0005522163.tif 000007
【図７】
0005522163.tif 000008
【図８】
0005522163.tif 000009
【図９】
0005522163.tif 000010
【図１０】
0005522163.tif 000011
【図１１】
0005522163.tif 000012
【図１２】
0005522163.tif 000013
【図１３】
0005522163.tif 000014